(57)【要約】【課題】  床面に配設される排水口金物にあって、何らかのアクシデントでオイルが床面に流出した場合に、該オイルの流入を防止し得る排水口金物の流入遮断装置を提供する。【解決手段】  ドレイン本体２及びストレーナー８を上方から覆う略伏碗形の遮断カバー体１４を、被着手段１６によって密閉用パッキン１５を介してドレイン本体２上に密着状に保持し得るようにした。【選択図】  図２
2005090150.tif 000002
【特許請求の範囲】
【請求項１】
円形のドレイン受皿の中央に排水管部が下方突成されたドレイン本体と、該ドレイン本体上に保持されるストレーナーとを備えてなる排水口金物において、
前記ドレイン本体及びストレーナーを上方から覆う略伏碗形の遮断カバー体と、
該遮断カバー体の下端周縁と、該下端周縁に当接するドレイン本体の当接面の、その何れか一方に配設された密閉用パッキンと、
前記遮断カバー体を密閉用パッキンを介してドレイン本体上に密着状に保持可能な被着手段と
を備えてなることを特徴とする排水口金物における流入遮断装置。
【請求項２】
排水管部の上縁に側方に突出する円環状鍔縁が周設されたドレイン本体と、該ドレイン本体上に保持されるストレーナーとを備えてなる排水口金物において、
前記ドレイン本体及びストレーナーを上方から覆う略伏碗形の遮断カバー体と、
該遮断カバー体の下端周縁と、該下端周縁に当接するドレイン本体の当接面の、その何れか一方に配設された密閉用パッキンと、
前記遮断カバー体を密閉用パッキンを介してドレイン本体上に密着状に保持可能な被着手段と
を備えてなることを特徴とする排水口金物における流入遮断装置。
【請求項３】
被着手段が、ドレイン本体またはストレーナーと、遮断カバー体の、その何れか一方に配設された上下方向の螺子杆と、他方に配設されて該螺子杆が螺合される雌螺子孔とからなり、該雌螺子孔と前記螺子杆との螺合緊締作用を介して、遮断カバー体をドレイン本体上に密着状に保持可能とするものであることを特徴とする請求項１又は請求項２記載の排水口金物における流入遮断装置。
【発明の詳細な説明】
【技術分野】
【０００１】
本発明は、排水口に設置される排水口金物において、特にオイルの流入を防止するための流入遮断装置に関する。
【背景技術】
【０００２】
排水口に設置される排水口金物としては、屋上やバルコニー等の床面に配設されるルーフドレインや、浴室，厨房，トイレ等のコンクリート床に配設される床排水金物が知られている。これらの排水口金物は、床面に埋設される排水管部を備えたドレイン本体と、該ドレイン本体上に保持されるストレーナーとによって構成されており、周囲の床面から雨水や生活排水を集水し、ストレーナーでゴミを取り除いて排水管部内に流入させて、該排水管部に接続された樋管に流し込むことにより、その排水を行い得るようになっている。
【０００３】
また、ルーフドレインにあっては、下部に開閉可能な通水口を備えたカバー体でドレイン本体を囲繞して、該通水口によってドレイン本体の排水管部内に流入する単位時間当たりの雨水量を制限する過流防止装置が設けられたものもある（例えば、特許文献１参照）。
【特許文献１】特開２００２−２４２３８６号公報
【発明の開示】
【発明が解決しようとする課題】
【０００４】
ところで、従来の排水口金物にあっては、何らかのアクシデントで機械・装置類や貯留タンク等からオイルが床面に流出した場合に、該オイルが雨水や生活排水とともにドレイン本体の排水管部内に流入し、そのまま樋管を介して外部に流れ出てしまうという問題点があった。また、上記過流防止装置を備えたルーフドレインにあっても、完全な遮蔽作用を有するものでないため、排水管部内へのオイルの流入を防止することができなかった。
【０００５】
本発明は、かかる従来の問題点を解消し得る排水口金物における流入遮断装置を提供することを目的とするものである。
【課題を解決するための手段】
【０００６】
本発明は、円形のドレイン受皿の中央に排水管部が下方突成されたドレイン本体と、該ドレイン本体上に保持されるストレーナーとを備えてなる排水口金物において、前記ドレイン本体及びストレーナーを上方から覆う略伏碗形の遮断カバー体と、該遮断カバー体の下端周縁と、該下端周縁に当接するドレイン本体の当接面の、その何れか一方に配設された密閉用パッキンと、前記遮断カバー体を密閉用パッキンを介してドレイン本体上に密着状に保持可能な被着手段とを備えてなることを特徴とする排水口金物における流入遮断装置である。
【０００７】
また、本発明は、排水管部の上縁に側方に突出する円環状鍔縁が周設されたドレイン本体と、該ドレイン本体上に保持されるストレーナーとを備えてなる排水口金物において、前記ドレイン本体及びストレーナーを上方から覆う略伏碗形の遮断カバー体と、該遮断カバー体の下端周縁と、該下端周縁に当接するドレイン本体の当接面の、その何れか一方に配設された密閉用パッキンと、前記遮断カバー体を密閉用パッキンを介してドレイン本体上に密着状に保持可能な被着手段とを備えてなることを特徴とする排水口金物における流入遮断装置である。
【０００８】
上記両流入遮断装置にあって、被着手段としては、ドレイン本体またはストレーナーと、遮断カバー体の、その何れか一方に配設された上下方向の螺子杆と、他方に配設されて該螺子杆が螺合される雌螺子孔とからなり、該雌螺子孔と前記螺子杆との螺合緊締作用を介して、遮断カバー体をドレイン本体上に密着状に保持可能とする構成が提案される。
【発明の効果】
【０００９】
本発明は、上述したように、円形のドレイン受皿の中央に排水管部が下方突成されたドレイン本体と、該ドレイン本体上に保持されるストレーナーとを備えてなる排水口金物において、前記ドレイン本体及びストレーナーを上方から覆う略伏碗形の遮断カバー体と、該遮断カバー体の下端周縁と、該下端周縁に当接するドレイン本体の当接面の、その何れか一方に配設された密閉用パッキンと、前記遮断カバー体を密閉用パッキンを介してドレイン本体上に密着状に保持可能な被着手段とを備えてなることを特徴とする排水口金物における流入遮断装置であるから、何らかのアクシデントで機械・装置類や貯留タンク等からオイルが床面に流出した場合に、遮断カバー体でドレイン本体及びストレーナーを上方から覆い、該遮断カバー体を被着手段によってドレイン本体上に密着状に保持させることにより、排水管部内へのオイルの流入を遮断することができる。これにより、排水管部に接続された樋管を介してオイルが外部に流れ出てしまうことを防止することができる。
【００１０】
また、本発明は、排水管部の上縁に側方に突出する円環状鍔縁が周設されたドレイン本体と、該ドレイン本体上に保持されるストレーナーとを備えてなる排水口金物において、前記ドレイン本体及びストレーナーを上方から覆う略伏碗形の遮断カバー体と、該遮断カバー体の下端周縁と、該下端周縁に当接するドレイン本体の当接面の、その何れか一方に配設された密閉用パッキンと、前記遮断カバー体を密閉用パッキンを介してドレイン本体上に密着状に保持可能な被着手段とを備えてなることを特徴とする排水口金物における流入遮断装置であるから、何らかのアクシデントで機械・装置類や貯留タンク等からオイルが床面に流出した場合には、上記と同様に、遮断カバー体でドレイン本体及びストレーナーを上方から覆い、該遮断カバー体を被着手段によってドレイン本体上に密着状に保持させることにより、排水管部内へのオイルの流入を遮断することができる。これにより、排水管部に接続された樋管を介してオイルが外部に流れ出てしまうことを防止することができる。
【００１１】
また、上記被着手段が、ドレイン本体またはストレーナーと、遮断カバー体の、その何れか一方に配設された上下方向の螺子杆と、他方に配設されて該螺子杆が螺合される雌螺子孔とからなり、該雌螺子孔と前記螺子杆との螺合緊締作用を介して、遮断カバー体をドレイン本体上に密着状に保持可能とする構成にあっては、雌螺子孔と螺子杆とを用いた簡単な構造で、しかも該雌螺子孔と螺子杆とを螺合緊締するだけの簡単な操作により、遮断カバー体をドレイン本体上に密着状態で確実に保持することができる。
【発明を実施するための最良の形態】
【００１２】
以下に、本発明の第一実施例を、図１，図２に基づいて説明する。
この第一実施例は、ルーフドレインからなる排水口金物１Ａに、本発明にかかる流入遮断装置１３を適用したものであり、該流入遮断装置１３は、図１に示すように、ドレイン本体２及びストレーナー８を上方から覆う遮断カバー体１４と、該遮断カバー体１４の下端周縁に当接するドレイン本体２の当接面２’に配設された密閉用パッキン１５と、前記遮断カバー体１４を密閉用パッキン１５を介してドレイン本体２上に密着状に保持可能な被着手段１６とを備えてなることを特徴としている。
【００１３】
前記排水口金物１Ａのドレイン本体２は、円形のドレイン受皿３と、該ドレイン受皿３の中央に開口する排水孔４を囲繞するようにして下方突成された排水管部５とを備えており、屋上やバルコニー等の床面ｆに埋設施工されている。前記ドレイン受皿３の上面には、床面ｆ内に敷設されたシート防水層ｓの縁部を挟持する防水層押え盤６が、ドレイン受皿３に立設された螺子杆７ａと、該螺子杆７ａに螺装されるナット７ｂとによって固定されており、該防水層押え盤６上に多数の狭幅状通水間隙９を備えたストレーナー８が配設されている。該ストレーナー８は、その下部鍔縁１０を螺子１１によって防水層押え盤６に固定することにより、該防水層押え盤６を介してドレイン本体２に保持されている。
【００１４】
ドレイン本体２の排水管部５には、該排水管部５に上端を螺着させることによって樋管１２が接続されている。これにより、通常時には、周囲の床面ｆからストレーナー８の狭幅状通水間隙９を介して排水管部５内に流入する雨水を樋管１２に流し込んでその排水を行い得るようになっている。
【００１５】
また、ドレイン受皿３の外周部には、前記遮断カバー体１４の下端周縁と当接可能な環状支持盤１７が、防水層押え盤６に立設された螺子杆１８ａと、該螺子杆１８ａに螺装されるナット１８ｂとによって固定されている。そして、該環状支持盤１７の上面によって、遮断カバー体１４の下端周縁が当接するドレイン本体２の当接面２’が構成されており、該当接面２’に形成された環状溝１９内に密閉用パッキン１５が固着されている。
【００１６】
前記遮断カバー体１４は、オイルや水を遮断可能な薄板状素材により略伏碗形に形成されている。該遮断カバー体１４の材質としては、金属または合成樹脂が用いられ得るが、金属の場合にはステンレス等の耐腐食性を備えた材質が好ましい。この遮断カバー体１４の天壁部２０の中央下面には、上下方向に沿う螺子杆２１が下方に突設されており、また、前記ストレーナー８の頂部には、該螺子杆２１が螺合される上下方向の雌螺子孔２２が形成されている。そして、該螺子杆２１と雌螺子孔２２とによって遮断カバー体１４の被着手段１６が構成されており、該螺子杆２１と雌螺子孔２２との螺合緊締作用により遮断カバー体１４を密閉用パッキン１５を介してドレイン本体２上に密着状に保持し得るようになっている。また、遮断カバー体１４の天壁部２０の上面には略コ字形の把手２３が配設されており、該把手２３によって遮断カバー体１４の螺回操作を容易に行い得るようにしている。
【００１７】
かかる構成にあって、通常の排水時には、雌螺子孔２２に螺合された螺子杆２１の螺進作用を介して昇降する遮断カバー体１４を、図１に示す上昇位置に保持させておく。この状態にあっては、周囲の床面ｆからストレーナー８の狭幅状通水間隙９を介して排水管部５内に流入する雨水を樋管１２に流し込んでその排水を行うことができる。一方、何らかのアクシデントでオイルが床面ｆに流出した場合には、螺子杆２１が下方に螺進する方向に遮断カバー体１４を螺回操作すると、螺子杆２１の下方への螺進に伴って遮断カバー体１４が降下し、図２に示すように、該遮断カバー体１４の下端周縁がドレイン本体２の当接面２’に当接する。そして、さらに該遮断カバー体１４を螺回操作すると、螺子杆２１と雌螺子孔２２との螺合緊締作用により遮断カバー体１４の下端周縁が当接面２’の密閉用パッキン１５に圧接される。これにより、ドレイン本体２及びストレーナー８が遮断カバー体１４によって密閉状に覆われ、排水管部５内へのオイルの流入を遮断することができる。従って、排水管部５に接続された樋管１２を介してオイルが外部に流れ出ることがない。
【００１８】
図３，図４は、第二実施例を示し、上記第一実施例では密閉用パッキン１５がドレイン本体２の当接面２’に配設されていたのに対して、この第二実施例では該密閉用パッキン１５を遮断カバー体１４の下端周縁に配設したものである。その他の構成は第一実施例と同じであり、同一部分に同一符号を付して重複する説明を省略する。
【００１９】
かかる構成にあっても、図３に示す上昇位置から遮断カバー体１４を螺回操作によって降下させて、図４に示すように、遮断カバー体１４の下端周縁を、密閉用パッキン１５を介してドレイン本体２の当接面２’に圧接させることにより、上記と同様に、ドレイン本体２及びストレーナー８が遮断カバー体１４によって密閉状に覆われ、排水管部５内へのオイルの流入を遮断することができる。
【００２０】
図５〜図７は第三実施例を示し、上記第一実施例では遮断カバー体１４の被着手段１６を構成する一方の螺子杆２１が遮断カバー体１４に配設され、かつ他方の雌螺子孔２２がストレーナー８に配設されていたのに対して、この第三実施例では、雌螺子孔２２を遮断カバー体１４に配設し、螺子杆２１をドレイン本体２に配設したものである。ここで、雌螺子孔２２は、遮断カバー体１４の天壁部２０の中央下面から下方に突設された上下方向の雌螺子筒２４内に形成されており、該雌螺子筒２４がストレーナー８の頂部に形成された透孔２５に挿通されている。また、螺子杆２１は、三ツ股状の支持プレート２６（図７参照）の中央に固着されており、該支持プレート２６の各端部を、図５に示すように、上述した螺子杆７ａとナット７ｂとによって防水層押え盤６を介してドレイン本体２に固定することにより、該螺子杆２１をドレイン本体２内の中央位置に立設するようにしている。その他の構成は第一実施例と同じであり、同一部分に同一符号を付して重複する説明を省略する。
【００２１】
かかる構成にあって、通常の排水時には、螺子杆２１に螺合された雌螺子孔２２を備えた雌螺子筒２４の螺進作用を介して昇降する遮断カバー体１４を、図５に示す上昇位置に保持させておくことにより、周囲の床面ｆからストレーナー８の狭幅状通水間隙９を介して排水管部５内に流入する雨水を樋管１２に流し込んでその排水を行うことができる。一方、何らかのアクシデントでオイルが床面ｆに流出した場合には、雌螺子筒２４が下方に螺進する方向に遮断カバー体１４を螺回操作すると、雌螺子筒２４の下方への螺進に伴って遮断カバー体１４が降下し、図６に示すように、該遮断カバー体１４の下端周縁がドレイン本体２の当接面２’に当接する。そして、さらに該遮断カバー体１４を螺回操作すると、螺子杆２１と雌螺子孔２２との螺合緊締作用により遮断カバー体１４の下端周縁が当接面２’の密閉用パッキン１５に圧接される。これにより、ドレイン本体２及びストレーナー８が遮断カバー体１４によって密閉状に覆われ、排水管部５内へのオイルの流入を遮断することができる。
【００２２】
尚、この第三実施例では、螺子杆２１を、支持プレート２６を介してドレイン本体２内に固定するようにしているが、これに代えて該螺子杆２１をストレーナー８に固定することも可能である。また、ドレイン本体２の当接面２’に配設されている密閉用パッキン１５は、上述した第二実施例（図３参照）のように遮断カバー体１４の下端周縁に配設してもよい。
【００２３】
また、上述した第一実施例及び第三実施例では、その上面でドレイン本体２の当接面２’を構成する環状支持盤１７を、防水層押え盤６と別体に形成した例を示したが、該環状支持盤１７は防水層押え盤６に一体形成することも可能である。さらに、第一実施例及び第三実施例では、排水口金物１Ａとして、シート防水構造の床ｆに用いられるルーフドレインを示したが、モルタル防水構造の床ｆに用いられるルーフドレインにあっては、上述した防水層押え盤６がなく、ドレイン受皿３の上面が床面ｆ上に露出するため、該ドレイン受皿３の上面によって、遮断カバー体１４の下端周縁が当接するドレイン本体２の当接面２’が構成されることとなる。
【００２４】
図８，図９は第四実施例を示し、この実施例は、浴室，厨房，トイレ等のコンクリート床に配設される床排水金物からなる排水口金物１Ｂに、本発明にかかる流入遮断装置１３を適用したものである。排水口金物１Ｂのドレイン本体２は、短筒状の排水管部５の上縁に側方に突出する円環状鍔縁２７が周設されており、該円環状鍔縁２７の上面が、流入遮断装置１３を構成する遮断カバー体１４の下端周縁に当接するドレイン本体２の当接面２’となっている。また、ドレイン本体２は、円環状鍔縁２７の上面が床面ｆに一致する状態で、浴室，厨房，トイレ等のコンクリート床に埋設施工されている。ドレイン本体２の上部内周縁には、複数の係止段縁２８が周方向に所定間隔で内方突成されており、該係止段縁２８上に下面を支持させることにより、ドレイン本体２の上部に偏平なストレーナー８が内嵌状態で保持されている。該ストレーナー８は、前記各係止段縁２８の下面に夫々係合可能な係合爪２９を備えており、該係合爪２９を側方から係止段縁２８の下面に係合させることにより、ストレーナー８の上方への抜け出し防止作用が得られるようになっている。また、排水管部５には、該排水管部５の下部に上端を螺着させることによって樋管１２が接続されている。これにより、通常時には、周囲の床面ｆからストレーナー８の狭幅状通水間隙９を介して排水管部５内に流入する生活排水を樋管１２に流し込んでその排水を行い得るようになっている。
【００２５】
一方、流入遮断装置１３を構成する遮断カバー体１４は、前記各実施例と同様に、ドレイン本体２及びストレーナー８を上方から覆い得る略伏碗形に形成されており、該遮断カバー体１４の下端周縁に密閉用パッキン１５が配設されている。遮断カバー体１４の天壁部２０の中央下面には、上下方向に沿う螺子杆２１が該遮断カバー体１４の下端より下方に突出する状態で配設されており、また、前記ストレーナー８の中央部には、該螺子杆２１が螺合される上下方向の雌螺子孔２２が形成されている。そして、該螺子杆２１と雌螺子孔２２とによって遮断カバー体１４の被着手段１６が構成されており、該螺子杆２１と雌螺子孔２２との螺合緊締作用により遮断カバー体１４を密閉用パッキン１５を介してドレイン本体２上に密着状に保持し得るようになっている。また、遮断カバー体１４の天壁部２０の上面には、該遮断カバー体１４の螺回操作を容易とする略コ字形の把手２３が配設されている。
【００２６】
かかる構成にあって、排水口金物１Ｂによる通常の排水時には、図８に示すように、遮断カバー体１４を排水口金物１Ｂから取り外しておくことにより、床面ｆ上の歩行に支障を来すことがない。一方、何らかのアクシデントでオイルが床面ｆに流出した場合には、遮断カバー体１４の螺子杆２１をストレーナー８の雌螺子孔２２に螺合させるとともに、螺子杆２１が下方に螺進する方向に遮断カバー体１４を螺回操作することにより、螺子杆２１の下方への螺進に伴って遮断カバー体１４が降下し、図９に示すように、該遮断カバー体１４の下端周縁がドレイン本体２の当接面２’に当接する。そして、さらに該遮断カバー体１４を螺回操作すると、螺子杆２１と雌螺子孔２２との螺合緊締作用により遮断カバー体１４の下端周縁の密閉用パッキン１５がドレイン本体２の当接面２’に圧接される。これにより、ドレイン本体２及びストレーナー８が遮断カバー体１４によって密閉状に覆われ、排水管部５内へのオイルの流入を遮断することができ、オイルが外部に流れ出ることがない。
【００２７】
尚、この第四実施例では、遮断カバー体１４の下端周縁に密閉用パッキン１５を配設しているが、該密閉用パッキン１５は上述した第一実施例（図１参照）のようにドレイン本体２の当接面２’に配設することも可能である。
【図面の簡単な説明】
【００２８】
【図１】第一実施例にかかる流入遮断装置１３を備えた排水口金物１Ａの施工状態を示す縦断面図である。
【図２】同上の流入遮断装置１３の作用説明図である。
【図３】第二実施例にかかる流入遮断装置１３を備えた排水口金物１Ａの縦断面図である。
【図４】同上の流入遮断装置１３の作用説明図である。
【図５】第三実施例にかかる流入遮断装置１３を備えた排水口金物１Ａの縦断面図である。
【図６】同上の流入遮断装置１３の作用説明図である。
【図７】同上の流入遮断装置１３における螺子杆２１の支持プレート２６を示す平面図である。
【図８】第四実施例にかかる流入遮断装置１３の遮断カバー体１４を取り外した状態を示す排水口金物１Ｂの施工状態の縦断面図である。
【図９】同上の流入遮断装置１３の作用説明図である。
【符号の説明】
【００２９】
１Ａ，１Ｂ  排水口金物
２  ドレイン本体
２’当接面
３  ドレイン受皿
５  排水管部
８  ストレーナー
１３  流入遮断装置
１４  遮断カバー体
１５  密閉用パッキン
１６  被着手段
２１  螺子杆
２２  雌螺子孔
２７  円環状鍔縁
【図１】
2005090150.tif 000003
【図２】
2005090150.tif 000004
【図３】
2005090150.tif 000005
【図４】
2005090150.tif 000006
【図５】
2005090150.tif 000007
【図６】
2005090150.tif 000008
【図７】
2005090150.tif 000009
【図８】
2005090150.tif 000010
【図９】
2005090150.tif 000011